(57)【要約】  【課題】  本発明は、施工が容易で確実に防水でき、屋根材としても使用できる金属サンドイッチパネルのジョイント構造を提供することを目的とする。  【解決手段】  本発明は、凹凸嵌合部２とそれをカバーする化粧板３と化粧板３を金属表面板１ａに固定するビス止部からなる金属サンドイッチパネル１，１のジョイント部において、凸嵌合部２ａ側の金属サンドイッチパネルに凹凸嵌合部２の凹嵌合部入口における隙間２ｃをその構成壁として含むように排水用の谷部６を、凹部嵌合部２ｂ側の金属サンドイッチパネルに凹凸嵌合部２に隣接して排水用の谷部６を設けると共に、化粧板３と凹凸嵌合部２との間に前記隙間２ｃ及び金属表面板１ａのビス止部４をそれぞれカバーする防水用テープ５を設け、前記谷部６、６に隣接する頂部７、７に前記ビス止部４を設けた金属サンドイッチパネルのジョイント構造である。  【選択図】  図２
2005163477.tif 000002
【特許請求の範囲】
【請求項１】
凹凸嵌合部２とそれをカバーする化粧板３と化粧板３を金属表面板１ａに固定するビス止部からなる金属サンドイッチパネル１，１のジョイント部において、凸嵌合部２ａ側の金属サンドイッチパネルに凹凸嵌合部２の凹嵌合部入口における隙間２ｃをその構成壁として含むように排水用の谷部６を設けると共に、化粧板３と金属表面板１ａとの間に前記隙間２ｃ及び金属表面板１ａのビス止部４をそれぞれカバーする防水用テープ５を設け、前記谷部６に隣接する前記パネルの頂部７に前記ビス止部４を設けたことを特徴とする金属サンドイッチパネルのジョイント構造。
【請求項２】
請求項１記載の発明の金属サンドイッチパネルのジョイント構造において、凹部嵌合部２ｂ側の金属サンドイッチパネルに凹凸嵌合部２に隣接して排水用の谷部６を設けると共に、化粧板３と金属表面板１ａとの間に金属表面板１ａのビス止部４をカバーする防水用テープ５を設け、該谷部６に隣接する前記パネルの頂部７に前記ビス止部４を設けたことを特徴とする金属サンドイッチパネルのジョイント構造。
【請求項３】
前記化粧板３が前記ビス止部４を設けた頂部７を超えて延設され、該頂部７と化粧板３との接触部の隙間に雨水が直接当たることを防止するための空間部８を設けたことを特徴とする請求項１又は２記載の金属サンドイッチパネルのジョイント構造。
【請求項４】
前記凹凸嵌合部２の凹嵌合部入口における隙間２ｃ及ビ金属表面板１ａのビス止部４をそれぞれカバーする防水用テープ５が連続して一体化していることを特徴とする請求項１、２又は３記載の金属サンドイッチパネルのジョイント構造。
【請求項５】
前記凹凸嵌合部２における凹嵌合部と凸嵌合部の接触部２ｄをコーキング材でシールしたことを特徴とする請求項１、２、３又は４記載の金属サンドイッチパネルのジョイント構造。
【発明の詳細な説明】
【技術分野】
【０００１】
本発明は、建築物、構造物などの外壁材、天井材などとして有用な金属サンドイッチパネルのジョイント部の防水性を高めたジョイント構造に関し、特に屋根材としても好適に使用しうる防水性を付与したジョイント構造に関する。
【背景技術】
【０００２】
従来の屋根材として施工されている金属サンドイッチパネルのジョイント構造は、図３に示すように、金属サンドイッチパネル１１の端面（平面形状）１２同士を突合わせ、双方のサンドイッチパネルの厚み方向中間部に挿入させた狭持板１３と該パネル表面に設けた化粧板１３（狭持板を兼ねる）とを該化粧板と金属表面材との間に防水テープ１５を介在させて、これらを貫く固定ビス１４によりビス止めすることにより、双方の金属サンドイッチパネルを二つの狭持板１３，１３で狭持して接続する構成となっている。この場合、固定ビス１４により、防水テープ１５が損傷しているので、固定ビス１４と化粧板１３の隙間及び前記端面の突合わせ部の隙間から雨水がジョイント内部まで浸入しかつジョイント部を通過すると考えられるため、湿気や漏水の問題を回避できないと考えられる。
【０００３】
また、屋根材として凹凸嵌合を用いた金属製サンドイッチパネルのジョイント構造（例えば、特許文献１参照）が開示されているが、この場合は金属製サンドイッチパネルの野地板への固着に用いるビスはパネルの凸状嵌合部を挿通しており、その部分は他の金属製サンドイッチパネルの凹状嵌合部にて覆われているに過ぎないので、結局雨水が、ビスと凸状嵌合部との隙間や金属製サンドイッチパネルと野地板の間に敷設した防水シートのビスによる損傷部に達し、雨水のジョイント内部への浸入や漏水を十分防止できないばかりか、凸状嵌合部パネルをビス止した後凹状嵌合部パネルを重ねるので、施工性に難点がある。
【特許文献１】特開平８−１４４４４１号公報（段落番号００１４、図２）。
【発明の開示】
【発明が解決しようとする課題】
【０００４】
そこで、本発明は、施工が容易で確実に防水でき、屋根材としても使用できる金属サンドイッチパネルのジョイント構造を提供することを目的とする。
【課題を解決するための手段】
【０００５】
上記目的を達成するために鋭意研究した結果、金属サンドイッチパネルのジョイント部を凹凸嵌合にすると共に、該凹凸嵌合部を化粧板でカバーし、該嵌合部に隣接して、化粧板と金属表面材の隙間から浸入してくる雨水を排水するための谷部を設け、かつ凹凸嵌合部の凹嵌合部入口における隙間や金属表面板のビス止部分を防水テープでシールすれば、防水が確実に達成できることを見いだし、本発明を完成させた。
【０００６】
すなわち、本発明のうち第１の発明は、凹凸嵌合部２とそれをカバーする化粧板３と化粧板３を金属表面板１ａに固定するビス止部４からなる金属サンドイッチパネル１，１のジョイント部において、凸嵌合部２ａ側の金属サンドイッチパネルに凹凸嵌合部２の凹嵌合部入口における隙間（以下、凹嵌合部入口隙間という。）２ｃをその構成壁として含むように排水用の谷部６を設けると共に、化粧板３と金属表面板１ａとの間に前記隙間２ｃ及び金属表面板１ａのビス止部４をそれぞれカバーする防水用テープ５を設け、前記谷部６に隣接する前記パネルの頂部７に前記ビス止部４を設けたことを特徴とする金属サンドイッチパネルのジョイント構造である。
【０００７】
本発明において、「凹嵌合部入口隙間」とは凹嵌合部と凸嵌合部の嵌合状態において、凹嵌合部の開口部とそこに挿入された凸嵌合部との間にできる凹嵌合部入口付近の雨水の浸入するような隙間の意味である。本発明において防水用テープは、少なくともこの隙間２ｃと前記頂部７のビス止部４の金属表面板１ａをカバーしていればよい。なお、防水テープ５は金属表面材１ａに融着、接着等を行って液密性を保ち、これらの間に雨水が浸入するような隙間を生じないようにしておくのが防水対策上好ましい。
【０００８】
このように構成すると、化粧板３と頂部７の金属表面材１ａとの間に形成される隙間から入った雨水は、嵌合部２に隣接された谷部６に入り、防水テープ５によって凹嵌合部入口隙間２ｃに入ることなく、谷部６から排水される。また、ビス止部４の金属表面板１ａも防水テープ５でカバーされているため、ビス止めによってその部分の防水テープが損傷しても雨水は金属サンドイッチパネルビス止部４の芯材１ｂの部分に少し浸入する程度であり、凹凸嵌合部に浸入することはないので、金属サンドイッチパネルを通過して漏水することはない。
【０００９】
本発明のうち第２の発明は、第１発明の金属サンドイッチパネルのジョイント構造において、凹部嵌合部側の金属サンドイッチパネルに凹凸嵌合部２に隣接して排水用の谷部６を設けると共に、化粧板３と金属表面板１ａとの間に金属表面板１ａのビス止部４をカバーする防水用テープ５を設け、該谷部６に隣接する前記パネルの頂部７に前記ビス止部４を設けたことを特徴とする金属サンドイッチパネルのジョイント構造である。
【００１０】
第２の発明においては、凹嵌合部側の金属サンドイッチパネルにもビス止部４を有する頂部７と凹凸嵌合部２との間に排水用の谷部６を設けているため、この頂部７の金属表面材１ａと化粧板３との間に形成される隙間から入った雨水が該谷部６によって排水され、その雨水が凹凸嵌合部２の金属表面板１ａと化粧板３との間に形成される隙間を介して前記凹嵌合部入口隙間２ｃに達するのを防止できるから、より防水が確実になる。この場合、凸嵌合部側の金属サンドイッチパネルの頂部７と凹嵌合部側の金属サンドイッチパネルの頂部７と凹凸嵌合部２をそれぞれ形成する金属表面材１ａが同一平面上に位置するようにすれば、平面状の化粧板３との間に形成されるそれぞれの隙間を容易に小さくでき、前記谷部への雨水の浸入をより効果的に防止できる。そして、この効果は、当該それぞれの隙間に防水テープ５を敷設すれば最善となる。
【００１１】
第３の発明は、前記化粧板３が前記ビス止部４を設けた頂部７を超えて延設され、該頂部７と化粧板３との接触部の隙間に雨水が直接当たることを防止するための空間部８を設けたことを特徴とする請求項１又は２記載の金属サンドイッチパネルのジョイント構造である。
【００１２】
このような空間部８は、該頂部７の金属表面材１ａと化粧板３の接触部の隙間に雨水が直接当たることを防止するため、雨水が毛細管現象によって該隙間に浸入することを防止する役割を果たす。この空間部８は、凹凸嵌合部２を構成する金属サンドイッチパネルの一方のみに設けてもよいが双方に設ける方が好ましい。また、一方のみに設ける場合も凸嵌合部側の金属サンドイッチパネルに設けるのが、凹嵌合部入口隙間２ｃに対する防水の観点から、好ましい。
【００１３】
本発明のうち第４の発明は、凹嵌合部入口隙間２ｃ及ビ金属表面板１ａのビス止部４をそれぞれカバーする防水用テープ５が連続して一体化していることを特徴とする請求項１、２又は３記載の金属サンドイッチパネルのジョイント構造である。
【００１４】
第４の発明によれば、防水用テープが一体化しているので、取り扱いやすくまた、防水テープと金属表面材との間の接触面積を大きくできるので、防水テープによる防水効果をより高めることができる。なお、防水テープ５は金属表面材１ａに融着、接着等を行って液密性を保ち、これらの間に雨水が浸入するような隙間を生じないようにしておくのが防水対策上好ましい。
【００１５】
本発明のうち第５の発明は、前記凹凸嵌合部２における凹嵌合部と凸嵌合部の接触部２ｄをコーキング材でシールしたことを特徴とする請求項１、２、３又は４記載の金属サンドイッチパネルのジョイント構造である。
【００１６】
第５の発明によれば、凹凸嵌合部の接触部をコーキング材でシールしているので、例え不測の事態が生じて防水テープ４が破損し、隙間２ｃから雨水が浸入するようなことがあっても、コーキング材から中への雨水の浸入を防止でき、さらに防水性を付加できる。コーキング材は凹凸嵌合部の接触部のうち、特にその突合わせ部２ｄに用いるのが好ましい。突合わせ部の隙間が通常大きくなるからである。
【発明の効果】
【００１７】
以上説明したように、本発明によれば、凹凸嵌合部に隣接して形成した谷部により、化粧板と金属表面材との間に形成される隙間から入った水を排水でき、且つそれぞれの位置に配置した防水テープにより嵌合部の隙間やビス止め部の隙間からの雨水の浸入を確実に防止できる。また、予め頂部及び谷部を形成した金属サンドイッチパネルに防水シートを敷設し、化粧カバーを取り付けてビス止めすればよいので施工も容易である。さらに、第３の発明おける前記空間部８の確保や嵌合部の突合わせ部２ｄのコーキングにより、二重〜四重の防水性が確保される。
【発明を実施するための最良の形態】
【００１８】
本発明に係る金属サンドイッチパネルのジョイント構造は、例えば、次のようにして得られるが、本発明は本実施の形態に限定されるものではない。
【００１９】
金属表面板を屈曲させて交互に頂部、谷部を設けた金属サンドイッチパネル１であって、その幅方向の一端の厚みを表裏面よりそれぞれ谷部の深さ分細くして凸嵌合部２ａを形成し、他端に該凸嵌合部が嵌合するような凹嵌合部２ｂを設けた図１に示すような金属サンドイッチパネル２個を用い、図２に示すようにそれらの凹嵌合部２ｂと凸嵌合部２ａを嵌合させて凹凸嵌合部２を形成する。
【００２０】
次に、図２に示すように、凸嵌合部２ａに隣接する凸嵌合部側頂部７から凹凸嵌合部２を経由して凹嵌合部２ｂに隣接する凹嵌合部側頂部７に架けて金属表面板１ａ上に防水テープ５を敷設する。この場合、防水テープ５は金属表面材に液密に接着しておくとよい。
【００２１】
さらに、前記凸嵌合部側頂部７から凹嵌合部側頂部７にかけ、且つそれらに続いて凹凸嵌合部とは反対方向に形成されている谷部に達するまで化粧板３にてカバーすると共にその両端部を下方に折り曲げて空間部８を形成し、両頂部７，７において防水テープ５を介してビス止部４，４を形成すれば本発明に係るジョイント構造が完成する。この場合、凹凸嵌合部２の突合わせ部２ｄは、凹嵌合部２ａと凸嵌合部２ｂを嵌合させる際に、あらかじめコーキング材にてシールしておくことが好ましい。
【００２２】
以上の如く形成すれば、化粧板３の両端に形成される空間部８により、雨水が毛細管現象で頂部７と化粧板３間に形成されるの隙間に入るのが防止でき、また雨水がこの隙間を通過して谷部６に入っても防水テープ５の上側に入った水は防水テープ５によって凹嵌合部入口隙間２ｃへの浸入が阻まれ、谷部から排水される。さらに防水テープ下側や防水テープの損傷事故などから谷部６を通過し凹嵌合部入口隙間２ｃ内に雨水が浸入しても、雨水はコーキング材にて阻止される。この場合、防水テープ５を金属表面材１ａに凹嵌合部入口隙間２ｃの周辺で液密に接着しておけば、これとコーキング材で二重に防水性が確保される。したがって、この金属サンドイッチパネルのジョイント構造は防水、防湿性が確実であるため、従来の外壁材用、天井材用などに留まらず、屋根材用としても好適に用いることができる。
【００２３】
本実施の形態に係る金属サンドイッチパネル１の金属表面材１ａや裏面材としては、幅が６００ｍｍ〜１２００ｍｍ、厚みが０．３５ｍｍ〜０．６０ｍｍ程度の鋼板、鉄板、アルミニウム板などが好適に用いられる。また、芯材１ｂとしては金属サンドイッチパネルに用いられ得るものであれば限定されないが、厚みが３０ｍｍ〜２５０ｍｍの硬質ポリウレタンフォーム及びイソシアヌレートフォームを用いるのが好ましい。このような金属サンドイッチパネルとしては、例えば、東洋ゴム株式会社製のイソクリップパネル（商品名）を示すことができる。防水用テープ５としては、防水防湿性のブチルテープ（（有）寺岡製作所製  機密用片面ブチルテープ  ＮＯ．１５２Ｃ）などが好適に用いられる。
【図面の簡単な説明】
【００２４】
【図１】は、本発明に用いる金属サンドイッチパネルの一例を示す概略図である。
【図２】は、本発明に係る金属サンドイッチパネルのジョイント構造の一例を示す概略図であって、上図は下図の点線で囲む四角形内の拡大図である。
【図３】は、屋根材として用いる金属サンドイッチパネルの従来例を示す。
【符号の説明】
【００２５】
１    金属サンドイッチパネル    １１  金属サンドイッチパネル
１ａ  金属表面材
１ｂ  芯材
２    凹凸嵌合部                １２  金属サンドイッチパネル端面
２ａ  凸嵌合部
２ｂ  凹嵌合部
２ｃ  凹嵌合部入口隙間
２ｄ  凹凸突合わせ部
３    化粧板                    １３  狭持板（上側は化粧板を兼ねる）
４    ビス止部                  １４  固定ビス
５    防水テープ                １５  防水テープ
６    谷部
７    頂部
８    空間部
９    コーキング材
【図１】
2005163477.tif 000003
【図２】
2005163477.tif 000004
【図３】
2005163477.tif 000005